(57)【要約】  衛生監視システムは、識別子取得構成要素を有するハウジングを備える衛生監視デバイスと、衛生監視デバイスを受けるためのステーションとを備え、ステーションは、ステーションに対して規定される位置においてハウジングを受けて保持するように構成された固定構成要素と、衛生監視デバイスのハウジングがステーションの固定構成要素によって受けられているときに識別子取得構成要素に識別子を与えるように構成されたステーション識別器とを備える。
2021508261.tif 000002
【特許請求の範囲】
【請求項１】
識別子取得構成要素を有するハウジングを備える衛生監視デバイスと、  
前記衛生監視デバイスを受けるためのステーションとを備え、前記ステーションが、
前記ステーションに対して規定された位置において前記ハウジングを受けて保持するように構成された固定構成要素と、
前記衛生監視デバイスの前記ハウジングが前記ステーションの前記固定構成要素によって受けられているときに、前記識別子取得構成要素に識別子を与えるように構成されたステーション識別器とを備える、衛生監視システム。
【請求項２】
前記識別子取得構成要素および前記ステーション識別器がともに、前記衛生監視デバイスが、前記識別子取得構成要素を使用して、前記ステーション識別器から前記識別子を取得することが可能な、前記ステーション識別器に対するインタラクション領域を画定し、前記インタラクション領域が、前記ステーションの中に、および望ましくは全体的に前記ステーションの中にある、請求項１に記載の衛生監視システム。
【請求項３】
前記固定構成要素が、前記ハウジングの少なくとも一部分を受けるための空所を画定し、前記インタラクション領域が、前記空所の中に、および望ましくは全体的に前記空所の中にある、請求項２に記載の衛生監視システム。
【請求項４】
前記ステーション識別器が、前記識別子取得構成要素に前記識別子を送信するように構成された送信機を備える、請求項１から３のいずれか一項に記載の衛生監視システム。
【請求項５】
前記固定構成要素が、前記ハウジングの少なくとも一部分を受けるための空所を画定し、前記送信機が、前記空所の中に向けられる、請求項４に記載の衛生監視システム。
【請求項６】
前記送信機が、前記空所の第１の壁の方に送信するように向けられる、請求項５に記載の衛生監視システム。
【請求項７】
前記送信機が、前記空所の第２の壁から前記第１の壁の方に送信するように配列される、請求項６に記載の衛生監視システム。
【請求項８】
前記第１の壁が、前記第２の壁に対向する、請求項７に記載の衛生監視システム。
【請求項９】
前記固定構成要素が、前記ハウジングの少なくとも一部分を受けるための空所を画定し、前記空所が上部開口を有し、前記ハウジングが、前記空所内で受けられるように、前記上部開口を通して挿入可能である、請求項１から８のいずれか一項に記載の衛生監視システム。
【請求項１０】
前記ステーション識別器が、前記識別子取得構成要素に前記識別子を送信するように構成された送信機を備え、前記ハウジングが前記固定構成要素によって受けられているときに、前記送信機が前記識別子を連続的に送信するように構成されるか、または前記送信機が前記識別子を選択的に送信するように構成される、請求項１から９のいずれか一項に記載の衛生監視システム。
【請求項１１】
前記識別子取得構成要素がフォトダイオードであり、場合によっては、前記フォトダイオードが赤外フォトダイオードである、請求項１から１０のいずれか一項に記載の衛生監視システム。
【請求項１２】
前記ステーション識別器がＬＥＤを有する送信機を備え、場合によっては、前記ＬＥＤが赤外ＬＥＤである、請求項１から１１のいずれか一項に記載の衛生監視システム。
【請求項１３】
前記識別子取得構成要素および前記ステーション識別器が、ワイヤレスにインタラクションするように構成される、請求項１から１２のいずれか一項に記載の衛生監視システム。
【請求項１４】
前記衛生監視デバイスがバッテリを備え、前記ステーションが、前記衛生監視デバイスが前記ステーション内で受けられているときに、前記バッテリを充電するように構成される、請求項１から１３のいずれか一項に記載の衛生監視システム。
【請求項１５】
前記衛生監視デバイスが、湿潤を監視するように構成される、請求項１から１４のいずれか一項に記載の衛生監視システム。
【請求項１６】
前記衛生監視デバイスが、衛生製品、望ましくは使い捨ての吸収性衛生製品に、取り外し可能に添付されるように構成される、請求項１から１５のいずれか一項に記載の衛生監視システム。
【請求項１７】
前記衛生監視デバイスが、前記衛生製品の外面に着脱可能である、請求項１６に記載の衛生監視システム。
【発明の詳細な説明】
【技術分野】
【０００１】
本開示は、衛生監視システムに関し、より詳細には、衛生監視デバイスと、衛生監視デバイスを受けるためのステーションとを備える衛生監視システムに関する。
【背景技術】
【０００２】
衛生監視デバイスは、ユーザの衛生状態を監視するために使用され得る。たとえば、衛生監視デバイスは、ユーザに関連する湿潤レベル、温度、および／または特定の物質の濃度を監視し得る。いくつかの状況では、衛生監視デバイスは、ユーザによって着用される用品に添付され得る。たとえば、衛生監視デバイスは、使い捨ての吸収性衛生用品、たとえば、おむつ、失禁シールド、または生理用ナプキンの飽和レベルおよび／または液体の分布を監視し得る。一般的に、衛生監視デバイスは、汚染事象など、ユーザの監視された衛生状態に関連する情報を送信する。
【０００３】
居住者が介護人の介護の下にある介護施設、病院などの居宅では、いくつかの衛生監視デバイスが、幾人かの異なる居住者と交互に使用される場合がある（たとえば、衛生監視デバイスが、異なる日々など、異なる期間の間に異なる居住者によって使用される場合がある）。いくつかのデバイスの中で、衛生監視デバイスは、汚染事象など、ユーザの衛生状態の変化をそのデバイスが検出したときに、介護人に警告し得る。そのような場合、衛生監視デバイスは、居住者の監視された衛生状態に関連する情報を、衛生状態の変化を介護人に警告するように構成された、共通の集中監視システムに伝達し得る。集中監視システムは、どの居住者が世話を必要としているかについて介護人に警告し、それによって、介護人はこの居住者に対応し得る。
【０００４】
したがって、あらゆる期間の間、衛生監視デバイスの各々から集中監視システムによって受信されるデータは、どの居住者が世話を必要としているかを集中監視システムが介護人に通知し得るように、一人の特定の居住者と関連付けられなければならない。この目的に向けて、一般的に、各衛生監視デバイスは、衛生状態に関連する情報とともに集中監視システムに送信される、一意の通し番号を有する。
【０００５】
しかしながら、そのようなシステムでは、介護人が、（衛生監視デバイスに対応する）どの通し番号がどの居住者と関連付けられているかのマッピングを、集中監視システムに提供する。
【０００６】
介護施設は忙しい場所である傾向があり、衛生監視デバイスは、たとえば故障したユニットを交換するためまたは使用されたユニットを再調整（たとえば、消毒）するために居住者間でしばしば交換されるので、または介護施設内の居住者は、たとえば入院によって退去または移動するので、介護人が、衛生監視デバイスを正しい居住者に、割り当てる（または再び割り当てる）ことを忘れることも不正確に割り当てることもあることが判明している。
【先行技術文献】
【特許文献】
【０００７】
【特許文献１】ＷＯ２０１６／０９０４９２
【発明の概要】
【発明が解決しようとする課題】
【０００８】
したがって、記録された衛生監視デバイスからのデータとユーザとの間の関連が便利に確実に維持されることを可能にする、改良された衛生監視システムが必要とされている。
【課題を解決するための手段】
【０００９】
本開示の一態様によれば、識別子取得構成要素を有するハウジングを備える衛生監視デバイスと、衛生監視デバイスを受けるためのステーションとを備える衛生監視システムが提供され、ステーションは、ステーションに対して規定される位置においてハウジングを受けて保持するように構成された固定構成要素と、衛生監視デバイスのハウジングがステーションの固定構成要素によって受けられているときに識別子取得構成要素に識別子を与えるように構成されたステーション識別器とを備える。
【００１０】
上記のシステムによって、ステーションは、介護施設内に（永久的または半永久的に）設置または装着され得、それによって、たとえばステーションを居住者のベッドの隣に設置または装着することによって、ステーションは、居住者および／またはその居住者に固有の空間位置と関連付けられる。したがって、介護人は、衛生監視デバイスを、その使用の前／後に定期的にステーションの中に便利に設置し得る。ステーション識別器は、（特定の患者と関連付けられた）特定のベッドと関連付けられているので、識別子取得構成要素が識別子を受信すると、衛生監視デバイスは、識別子ステーションと関連付けられた識別子を記憶して送信し得、識別子ステーションはベッドと関連付けられ、ベッドは特定の居住者と関連付けられている。監視デバイスが居住者間で再び割り当てられることを必要とするよりはるかに少ない頻度で、居住者がベッドを変えることが観察されている。
【００１１】
衛生監視デバイスが、新しい居住者によって使用されることになった場合、介護人は、必然的に、新しい居住者に固有の空間位置（居住者のベッドの隣のステーションなど）と関連付けられたステーション内にそのデバイスを設置し、それによって、衛生監視デバイスによって新しい識別子を便利に確実に受信する。
【００１２】
したがって、そのような構成を用いて、記録された衛生監視デバイスからのデータと居住者との間の関連が便利に確実に維持されることを可能にする、改良された衛生監視システムを提供することが可能になる。
【００１３】
一実施形態では、識別子取得構成要素およびステーション識別器はともに、衛生監視デバイスが、識別子取得構成要素を使用して、ステーション識別器から識別子を取得することが可能な、ステーション識別器に対するインタラクション領域を画定する。インタラクション領域は、ステーション内にある。一実施形態では、インタラクション領域は、実質的に完全にステーション内にある。
【００１４】
そのような構成によって、識別子取得構成要素およびステーション識別器は、ステーション識別器に関連する局在領域内でのみインタラクションすることができる。したがって、たとえば、介護人は衛生監視デバイスを有するステーションから少し離れて通り過ぎるので、間違った衛生監視デバイスに識別子を誤って割り当てることが発生する可能性は低い。
【００１５】
一実施形態では、固定構成要素は、ハウジングの少なくとも一部分を受けるための空所を画定する。インタラクション領域は、空所内にある。一実施形態では、インタラクション領域は、実質的に完全に空所内にある。
【００１６】
そのような構成によって、インタラクション領域は空所内にあるので、識別子取得構成要素は、ハウジングが空所内に正しく受けられているときのみ、識別子を取得することができる。
【００１７】
したがって、そのような構成によって、たとえば、おそらく複数の監視デバイス持った介護人が間近にいるときに誤って割り当てる機会を、さらに低減することが可能になる。
【００１８】
一実施形態では、ステーションは、衛生監視デバイスを受けるための容器を画定する。一実施形態では、ステーションの固定構成要素は、容器の中にある。
【００１９】
一実施形態では、ステーション識別器は、識別子取得構成要素に識別子を送信するように構成された送信機を備える。
【００２０】
一実施形態では、固定構成要素は、ハウジングの少なくとも一部分を受けるための空所を画定し、送信機は空所の中に向けられる。
【００２１】
そのような構成によって、誤って割り当てる機会を低減することが可能になる。
【００２２】
本開示を通して、「送信機」という用語は、送信源と、送信を案内するように構成された任意の案内要素（シールドなど）または反射器とを含み得る。
【００２３】
一実施形態では、送信機は、識別子を優先的に空所内に送信するように配列される。一実施形態では、送信機は、識別子を排他的に空所内に送信するように配列される。
【００２４】
一実施形態では、送信機は、空所の第１の壁の方に送信するように向けられる。
【００２５】
本開示を通して、「の方に送信する」は、特定の領域の方に向けられるかまたは局部集中される（ｌｏｃａｌｉｓｅｄ）送信を指す。たとえば、送信は、平行ビームであり得る。
【００２６】
一実施形態では、送信機は、空所の第２の壁から第１の壁の方に送信するように配列される。一実施形態では、第１の壁は、送信機からの送信を吸収するかまたは散乱させるように構成されたシールドを備える。
【００２７】
一実施形態では、第１の壁は、第２の壁に対向する。
【００２８】
一実施形態では、ハウジングは、第１の壁と第２の壁との間で受けられるように構成される。一実施形態では、識別子取得構成要素は、第１の壁と第２の壁との間で受けられるように構成される。
【００２９】
一実施形態では、固定構成要素は、ハウジングの少なくとも一部分を受けるための空所を画定する。空所は、上部開口を有する。ハウジングは、空所内で受けられるように、上部開口を通して挿入可能である。
【００３０】
一実施形態では、ステーション識別器は、識別子取得構成要素に識別子を送信するように構成された送信機を備える。一実施形態では、送信機は、識別子を連続的に送信するように構成される。別の実施形態では、送信機は、ハウジングが固定構成要素によって受けられているときに、識別子を選択的に送信するように構成される。
【００３１】
一実施形態では、識別子取得構成要素はフォトダイオードである。一実施形態では、フォトダイオードは赤外フォトダイオードである。
【００３２】
一実施形態では、ステーション識別器は、ＬＥＤを有する送信機を備える。一実施形態では、ＬＥＤは赤外ＬＥＤである。
【００３３】
一実施形態では、識別子取得構成要素およびステーション識別器は、ブルートゥース（登録商標）、ジグビー、またはＩｒＤＡなどの標準短距離無線プロトコルを随意に使用して、ワイヤレスにインタラクションするように構成される。
【００３４】
一実施形態では、識別子取得構成要素およびステーション識別器は、近距離無線通信（ＮＦＣ：ｎｅａｒ  ｆｉｅｌｄ  ｃｏｍｍｕｎｉｃａｔｉｏｎ）および／または無線自動識別（ＲＦＩＤ：ｒａｄｉｏ−ｆｒｅｑｕｅｎｃｙ  ｉｄｅｎｔｉｆｉｃａｔｉｏｎ：）を介してインタラクションするように構成される。
【００３５】
一実施形態では、衛生監視デバイスは、外部デバイス、たとえば集中型サーバにデータを送信するように構成された送信機を備える。一実施形態では、衛生監視デバイスは、識別子および／または監視されたデータに関連する情報を送信するように構成される。
【００３６】
一実施形態では、衛生監視デバイスは、識別子および監視されたデータに関連する情報を、外部デバイスに同時に送信するように構成される。
【００３７】
一実施形態では、識別子取得構成要素は、識別子を記憶するためのメモリを備える。
【００３８】
一実施形態では、ステーション識別器は、識別子を記憶するためのメモリを備える。
【００３９】
一実施形態では、衛生監視デバイスはバッテリを備える。ステーションは、衛生監視デバイスがステーション内に受けられているときに、バッテリを充電するように構成される。
【００４０】
一実施形態では、ステーションは、衛生監視デバイスのための充電ステーションである。
【００４１】
一実施形態では、衛生監視デバイスは、湿潤レベル、温度、検体の存在、および／またはユーザに関連する特定の物質（液体または気体）の濃度を監視するように構成される。
【００４２】
一実施形態では、衛生監視デバイスはバイオセンサを備える。
【００４３】
一実施形態では、衛生監視デバイスは、着用可能な衛生用品に着脱可能である。一実施形態では、衛生監視デバイスは、着用可能な衛生用品上の対応するループ素材に取り外し可能に付着し得る、フック素材のパッチなどのメカニカルファスナ構成要素を備える。一実施形態では、衛生監視デバイスは、着用可能な衛生用品上の対応するテープ設置（ｌａｎｄｉｎｇ）ゾーンに取り外し可能に付着し得る、感圧性接着剤（ｐｒｅｓｓｕｒｅ  ｓｅｎｓｉｔｉｖｅ  ａｄｈｅｓｉｖｅ）などの粘着ファスナ構成要素を備える。
【００４４】
一実施形態では、着用可能な衛生用品は、おむつまたは失禁シールドなど、使い捨ての吸収性用品である。
【００４５】
一実施形態では、衛生監視デバイスは、衛生製品、望ましくは使い捨ての吸収性衛生製品に、取り外し可能に添付されるように構成される。
【００４６】
一実施形態では、衛生監視デバイスは、衛生製品の外面に着脱可能である。
【００４７】
一実施形態では、衛生監視デバイスは、識別子を記憶するように構成される。一実施形態では、衛生監視デバイスは、識別子を任意の感知データとともに送信するように構成される。
【００４８】
一実施形態では、衛生監視デバイスは、再使用可能である。
【００４９】
一実施形態では、衛生監視デバイスは、電池（ｃｅｌｌ）を備える。
【００５０】
一実施形態では、衛生監視デバイスは、再充電可能である。
【００５１】
一実施形態では、衛生監視デバイスは、交換可能な電池を備える。
【００５２】
一実施形態では、衛生監視デバイスは、使い捨てである。
【００５３】
一実施形態では、衛生監視システムは、衛生監視デバイスによって送信されたデータを受信するためのサーバをさらに備える。一実施形態では、サーバは、識別子と特定の居住者との関連付けを含むようにプログラム可能である。
【００５４】
一実施形態では、衛生監視システムは、着用可能な用品をさらに備える。一実施形態では、衛生監視デバイスは、着用可能な用品に着脱可能である。
【００５５】
本開示の別の態様では、衛生監視デバイスが提供される。衛生監視デバイスは、ステーションの固定構成要素内に受けられて保持されるように構成されたハウジングを備える。衛生監視デバイスは、衛生監視デバイスのハウジングがステーションの固定構成要素によって受けられているときに、ステーションから識別子を使用時に受信するように構成された識別子取得構成要素を備える。
【００５６】
本開示の本態様の衛生監視デバイスは、本明細書で開示する衛生監視デバイスのいずれかの特徴のいずれか、または特徴の任意の組み合せを随意に有し得る。
【００５７】
本開示の別の態様では、衛生監視デバイスを受けるためのステーションが提供される。ステーションは、ステーションに対して規定された位置において衛生監視デバイスのハウジングを受けて保持するように構成された固定構成要素を備える。ステーションは、衛生監視デバイスのハウジングがステーションの固定構成要素によって受けられているときに、衛生監視デバイスの識別子取得構成要素に識別子を与えるように構成されたステーション識別器を備える。
【００５８】
本開示の本態様のステーションは、本明細書で開示するステーションのいずれかの特徴のいずれか、または特徴の任意の組み合せを随意に有し得る。
【００５９】
本開示をより良く理解するため、および本開示がいかにして実行され得るかをより示すために、次に、例示のためだけに、添付の図面に対する参照がなされる。
【図面の簡単な説明】
【００６０】
【図１】ユーザの衛生状態を監視するための衛生監視デバイスを示す図である。
【図２】ユーザの衛生状態を監視するための衛生監視デバイスを示す図である。
【図３】図１および図２に示す衛生監視デバイスを受けるためのステーションを示す図である。
【図４】図１および図２に示す衛生監視デバイスを受けるためのステーションを示す図である。
【図５】図１および図２に示す衛生監視デバイスを受けるためのステーションを示す図である。
【図６】図１および図２に示す衛生監視デバイスを受けるためのステーションを示す図である。
【図７】図１および図２に示す衛生監視デバイスを受けるためのステーションを示す図である。
【図８】図１および図２に示す衛生監視デバイスを受けるためのステーションを示す図である。
【図９】図１および図２に示す衛生監視デバイスおよび図３〜図８に示すステーションを備える衛生監視システムを示す図である。
【図１０】図１および図２に示す衛生監視デバイスおよび図３〜図８に示すステーションを備える衛生監視システムを示す図である。
【図１１】図１および図２に示す衛生監視デバイスおよび図３〜図８に示すステーションを備える衛生監視システムを示す図である。
【発明を実施するための形態】
【００６１】
図１は、ユーザの衛生状態を監視するための衛生監視デバイス１０を示す。衛生監視デバイス１０は、そのデバイスが用品の衛生状態を監視し得るように、ユーザの着用可能な用品に取り外し可能に添付され得る。
【００６２】
衛生監視デバイス１０は、ハウジング１１と、ハウジング１１から延びる電極ストリップ１３とを備える。図１に示すように、電極ストリップ１３は、ハウジング１１の両側に延びる。他の実施形態では、電極ストリップ１３は、ハウジング１１の片側のみに延びる場合がある。
【００６３】
ハウジング１１は、２つの相隔たるフォトダイオードを備える識別子取得構成要素１２を有する。識別子取得構成要素１２は、（以下で詳述するように）ステーション２０のステーション識別器２２から識別子を取得するためのものである。識別子取得構成要素１２は、ステーション２０のステーション識別器２２から受信された識別子を記憶するように構成されたメモリをさらに備える。
【００６４】
衛生監視デバイス１０は、集中型サーバ（図示せず）などの外部デバイスにデータを送信するように構成された送信機（図示せず）をさらに備える。衛生監視デバイス１０は、記憶された識別子を、用品の監視された衛生状態に関連する情報とともに送信するように構成される。
【００６５】
図２に示すように、衛生監視デバイス１０の電極ストリップ１３は、電極ストリップ１３の長手方向の長さに沿って相隔てられた４つの電極１３ａ〜１３ｄを備える。衛生監視デバイス１０は、電極１３ａ〜１３ｄが、着用可能な用品と接触させられ、それによって、それらの電極が、たとえば用品の湿潤レベルの測定値、特定の化合物／化学成分の存在および／またはｐＨレベルによって用品の衛生状態を測定し得るように構成される。電極の特定の配列は、当業者には知られており、たとえば、ＷＯ２０１６／０９０４９２において開示されている配列のいずれかを含んでよく、その内容は、法律が許す範囲で参照により本明細書に組み込まれる。
【００６６】
図３〜図８は、衛生監視デバイス１０を受けるためのステーション２０を示す。ステーション２０は、第１のケーシング部２０ａと第２のケーシング部２０ｂとを備える。第２のケーシング部２０ｂは、ステーション２０を開閉するために、第１のケーシング部２０ａに対して枢動可能である。
【００６７】
ステーション２０は、ステーション２０に対して規定された位置において衛生監視デバイス１０のハウジング１１を受けて保持するように構成された固定構成要素を２１備える。
【００６８】
図５からわかるように、固定構成要素２１は、第１のフランジ２１ａと、第２のフランジ２１ｂと、後壁２１ｃと、第１の棚２１ｄと、第２の棚２１ｅとを備える。第１の棚２１ｄは第１のフランジ２１ａに対応し、第２の棚２１ｅは第２のフランジ２１ｂに対応する。固定構成要素２１は、第１のフランジ２１ａ、第２のフランジ２１ｂ、後壁２１ｃ、第１の棚２１ｄ、および第２の棚２１ｅによって区切られた空所Ｃを画定する。
【００６９】
衛生監視デバイス１０は、ハウジング１１を固定構成要素２１によって画定された空所Ｃ内に挿入することによって、ステーション２０内に受けられ得る。ハウジング１１が挿入されると、固定構成要素２１は、衛生監視デバイス１０がステーションに対して規定された位置において保持されるように、適所にハウジング１１を保持する。
【００７０】
図７に示すように、固定構成要素２１の第１のフランジ２１ａは、送信機として働く２つの相隔たるＬＥＤを備えるステーション識別器２２を有する。ステーション識別器２２のＬＥＤは、固定構成要素２１の後壁２１ｃに面するように配列される。言い換えれば、ステーション識別器２２のＬＥＤは、固定構成要素２１の空所Ｃの中に、かつ後壁２１ｃの方に送信するように配列される。この配列を使用すると、比較的少ない光が、固定構成要素２１の空所Ｃから漏れる。ステーション識別器２２のＬＥＤは、識別子取得構成要素１２とステーション識別器２２とがインタラクションし得るようにハウジング１１が固定構成要素２１内に受けられているときに、識別子取得構成要素１２のフォトダイオードと整合するように配列される。
【００７１】
ステーション識別器２２は、ステーション２０と関連付けられた識別子を記憶するように構成される。たとえば、識別子は、数値コードまたは英数字コードなど、任意の種類のコードであり得る。本明細書で使用する「識別子」という用語は、ステーション識別器２２が識別されて他のステーション識別器と区別されることを可能にする、任意の情報を指す。たとえば、「識別子」はまた、記憶された識別子の任意に操作された（たとえば、暗号化された、ハッシュ化された、署名入りの、または別様に処理された）バージョンを指す。
【００７２】
以下でさらに詳述するように、ステーション識別器２２は、ハウジング１１が固定構成要素２１内に受けられているときに、ＬＥＤを使用して識別子取得構成要素１２に識別子を送信するように構成される。
【００７３】
図８は、第１のケーシング部２０ａおよび第２のケーシング部２０ｂがともに、衛生監視デバイス１０をその中に受けるのに好適な容器を画定する、閉じた構成の中のステーション２０を示す。
【００７４】
図９〜図１１は、衛生監視デバイス１０およびステーション２０を備える衛生監視システム１００を示す。図９〜図１１は、ステーション２０内に受けられた衛生監視デバイス１０を示す。わかるように、固定構成要素２１は、ハウジング１１がステーション２０に対して規定された位置において保持されるように、衛生監視デバイスのハウジング１１を受けて保持する。電極ストリップ１３は、固定構成要素２１によって直接保持されず、ハウジング１１の上方および下方に比較的自由に延びる。
【００７５】
衛生監視デバイス１０は、ハウジング１１を固定構成要素２１内に挿入することによって、ステーション２０内に挿入され得る。特に、空所Ｃは上部開口を有し、その開口を通してハウジング１１が下向きに挿入され得る。第１の棚２１ｄおよび第２の棚２１ｅは、ハウジング１１がさらに下方に移動するのを制限するように働く。
【００７６】
図９〜図１１に示すように、衛生監視デバイス１０がステーション２０内に受けられると、第２のハウジング部２０ｂは、ステーション２０を閉じるために、第１のハウジング部２０ａに対して枢動され得る。衛生監視デバイス１０がステーション２０内に受けられている間にステーション２０を閉じると、電極ストリップ１３が曲がってＵ字型を形成する。
【００７７】
ハウジング１１が固定構成要素２１内に正しく受けられると、ステーション識別器２２のＬＥＤは、ステーション識別器２２が、記憶された識別子を識別子取得構成要素１２に送信することができるように、識別子取得構成要素１２のフォトダイオードと整合するように配列される。しかしながら、ハウジング１１が固定構成要素２１内に正しく受けられない（たとえば、完全には挿入されない）場合、ステーション識別器２２のＬＥＤの配列に起因して、識別子取得構成要素１２は、ステーション識別器２２の識別子を受信できないことになる。
【００７８】
言い換えれば、識別子取得構成要素１２およびステーション識別器２２は、識別子取得構成要素１２がステーション識別器２２から識別子を受信できる容積（それはステーション２０に対して画定され得る）であるインタラクション領域を画定する。このインタラクション領域の外部では、識別子取得構成要素１２は、ステーション識別器２２から識別子を受信できない。この特定の実施形態では、インタラクション領域は、実質的に固定構成要素２１の空所Ｃ内にあり、特に、容積は、ステーション識別器２２のＬＥＤにすぐ近くにある。
【００７９】
以下に、衛生監視システム１００の使用が、特に、衛生監視デバイス１０のステーション２０への割り当てについて詳細に説明される。
【００８０】
知られている衛生監視デバイスの使用の後、衛生監視デバイスは、たとえば、デバイスを洗浄した後、夜間（または、特定の使用に応じて日中）保管され得る。使用後、介護人は、居住者のベッドの近くなど、衛生監視デバイスが関連付けられるべき居住者に近接して衛生監視デバイスを保管する傾向があることが判明している。
【００８１】
衛生監視システム１００によって、ステーション２０は、たとえば介護施設の壁または他の固定された要素にステーション２０を固定することによって（永久的にまたは半永久的に）介護施設内に設置され得、それによって、たとえばステーション２０を居住者のベッドの隣の壁の上に設置することによって、ステーション２０は、特定の居住者と関連付けられる。したがって、ステーション識別器２２によって記憶された識別子は、特定の居住者と関連付けられる。衛生監視デバイス１０が外部デバイスへ送信する外部デバイス（たとえば、集中型サーバ）は、この特定の識別子がこの特定の居住者と関連付けられていることを記憶するために更新され得る。
【００８２】
衛生監視システム１００を使用して、介護人は、衛生監視デバイス１０を、その使用の前／後に定期的にステーション２０の中に便利に設置し得る。次いで、ステーション識別器２２は特定のベッドと関連付けられている（ステーション識別器２２は特定の患者と関連付けられている）ので、識別子取得構成要素１２が識別子を受信すると、衛生監視デバイス１０は、ステーション２０と関連付けられた識別子を（識別子取得構成要素のメモリ内に）記憶して送信／アップロードし得、ステーション２０はベッドと関連付けられ、ベッドは特定の居住者と関連付けられる。それゆえ、衛生監視デバイス１０が外部デバイスへ送信する外部デバイス（たとえば、集中型サーバ）は、受信されたデータを特定の居住者と関連付けることができ、それゆえ、どの居住者が世話を必要としているかについて介護人に警告するように構成され得る。
【００８３】
衛生監視システム１００は、各々が特定の居住者と関連付けられた複数のステーション２０を備え得る。衛生監視デバイス１０が外部デバイスへ送信する外部デバイス（たとえば、集中型サーバ）は、各ステーション２０のどの識別子が特定の居住者のうちの誰と関連付けられているかを記憶するために更新され得る。
【００８４】
衛生監視デバイス１０が異なる居住者によって使用されるべきである場合、介護人は、特定の居住者と関連付けられたステーション２０内にそのデバイスを簡単に正しく設置し、それによって、衛生監視デバイス１０はステーション識別器２２から受信された新しい識別子を受信して記憶し、外部デバイスが衛生監視デバイス１０を新しい居住者と関連付けることができるように、外部デバイスにこの新しい識別子を送信する。
【００８５】
上記の説明は、本開示がいかにして当業者によって直接的に実施され得るか完全に明確にするためと見なされるが、それは純粋に例示と見なされるべきである。
【００８６】
たとえば、衛生監視システム１００の上記の実施形態は、ＬＥＤを使用してインタラクションするステーション識別器２２および識別子取得構成要素１２を含むが、衛生監視デバイスのハウジングがステーションの固定構成要素によって受けられているときに、ステーション識別器が識別子を識別子取得構成要素に与えることができる限り、インタラクションの他の手段が着想される。たとえば、識別子取得構成要素およびステーション識別器は、近距離無線通信（ＮＦＣ）、（たとえば、接触ピンを使用する）電気接続、物理接続、または光学接続を介してインタラクションするように構成され得る。
【００８７】
さらに、ステーション識別器および識別子取得構成要素のインタラクション領域は、全体的に固定構成要素の中にある必要はない。他の実施形態では、インタラクション領域はステーションに近接しており、場合によってはステーションの中にある。
【００８８】
上記の実施形態では、衛生監視デバイス１０は、集中型サーバなどの外部デバイスにデータを送信するように構成される。しかしながら、代替実施形態では、衛生監視デバイスは、識別子および監視された情報を記憶し、このデータを後で、たとえばパーソナルコンピュータへのケーブルアップロードの間にアップロードするように構成され得る。
【００８９】
衛生監視デバイス１０の上記の実施形態は、用品の衛生状態を監視するために電極ストリップ１３を備えるが、代替実施形態が検討される。たとえば、衛生監視デバイスは、用品の衛生状態を監視するように構成されたバイオセンサおよび／または温度センサなど、任意のタイプのセンサを備え得る。
【００９０】
上記の実施形態では、衛生監視デバイス１０は、ステーション２０から受信された識別子を送信する。いくつかの実施形態では、衛生監視デバイス１０は、ステーション２０から受信された識別子を、衛生監視デバイス識別子とともに送信する。この実施形態では、衛生監視デバイス１０からの送信を受信する中央デバイス（サーバなど）は、今後の送信の間に、衛生監視デバイス１０が衛生監視デバイス識別子だけを送信し得るように、ステーション２０から受信された識別子を衛生監視デバイス識別子と関連付け得る。
【００９１】
上記の実施形態では、識別子取得構成要素１２は、２つの相隔たるフォトダイオードを備え、ステーション識別器２２は、２つの相隔たるＬＥＤを備えるが、任意の数のフォトダイオードおよびＬＥＤが使用されてよい。たとえば、識別子取得構成要素は、１つのフォトダイオードを備えてもよく、ステーション識別器は、１つのＬＥＤを備えてもよい。
【００９２】
いくつかの実施形態では、識別子取得構成要素は、１つのフォトダイオードと１つのＬＥＤとを備え、ステーション識別器は、１つのフォトダイオードと１つのＬＥＤとを備え、それによって、識別子取得構成要素およびステーション識別器は、互いに双方向通信してもよい。随意に、ステーションデバイスは、識別子取得構成要素が識別子を正しく取得および／または記憶したかどうかを検証するように構成される。
【００９３】
上記は、介護施設内での使用に関連して説明されたが、上記のシステムは、病院または託児所など、任意の施設／位置における使用に好適である。
【００９４】
上記のすべては、完全に本開示の範囲内にあり、上記で説明した特徴の１つまたは複数の組み合せは、上記で開示した特定の組み合せに限定されることなく適用される、代替実施形態に対する基礎を形成するものと見なされる。
【００９５】
上記の観点から、本開示の教示を実施する多くの代替形態が存在する。当技術分野において当業者に共通の一般的知識に照らして、上記から開示されるかまたは導出可能な、本開示の一部または全部の技術的効果を保持しながら、上記の開示を修正し、適応させて、本開示の範囲内で当業者自身の環境および必須要件に適合させることは、当業者には可能であることが予期される。すべてのそのような等価な修正形態または適合形態は、添付の特許請求の範囲によって定義される、本発明の範囲内に入る。
【符号の説明】
【００９６】
１０  衛生監視デバイス
１１  ハウジング
１２  識別子取得構成要素
１３  電極ストリップ
１３ａ  電極
１３ｂ  電極
１３ｃ  電極
１３ｄ  電極
２０  ステーション
２０ａ  第１のケーシング部
２０ｂ  第２のケーシング部
２１  固定構成要素
２１ａ  第１のフランジ
２１ｂ  第２のフランジ
２１ｃ  後壁
２１ｄ  第１の棚
２１ｅ  第２の棚
２２  ステーション識別器
１００  衛生監視システム
【図１】
2021508261.tif 000003
【図２】
2021508261.tif 000004
【図３】
2021508261.tif 000005
【図４】
2021508261.tif 000006
【図５】
2021508261.tif 000007
【図６】
2021508261.tif 000008
【図７】
2021508261.tif 000009
【図８】
2021508261.tif 000010
【図９】
2021508261.tif 000011
【図１０】
2021508261.tif 000012
【図１１】
2021508261.tif 000013
【国際調査報告】
2021508261.tif 000014
2021508261.tif 000015